(57)【要約】【課題】落下時の姿勢や衝撃力の作用状態の変化に対しても安定した強度が得られ、構成部品の数を抑えたレンズ鏡筒を提供する。【解決手段】レンズ鏡筒１は、固定枠２に回転，進退可能に支持される回転枠３と、回転枠３に進退可能に支持され、３組のカム溝とカムフォロアとを介して前方に繰り出し可能な直進枠４とを有しており、直進枠４の前端面４ｂには、カムフォロアの光軸Ｏ方向の前方の領域を避けた位置に３つの突起部４d1，４d2，４d3を設けている。もし、レンズ鏡筒１が直進枠側から落下した場合、外部障害物に突起部４d1，４d2，４d3のいずれかが突き当たるが、該突起部がカムフォロアの前方の領域を避けて配されていることから衝撃力は、少なくとも２つのカムフォロアで受けて分散されることになり、カムフォロアの嵌合の外れやカム溝の破損を抑えることが可能となる。【選択図】図１
2011221552.tif 000002
【特許請求の範囲】
【請求項１】
複数のカム溝を有する第一の枠部材と、
複数の上記カム溝の各々に係合する第一のカムフォロアと第二のカムフォロアとを有する第二の枠部材と、
上記第二の枠部材の端面において、当該第二の枠部材に保持される撮影レンズの光軸の方向に突出して配設された外部接触部材であって、当該外部接触部材に外力が印加された際の力点が、上記第二の枠部材を当該光軸の方向の正面からみたときに、上記第一のカムフォロアの中心軸と当該光軸を通る第一の直線と、上記第一のカムフォロアに隣接する上記第二のカムフォロアの中心軸と当該光軸を通る第二の直線と、に挟まれた上記端面上の領域の光軸方向延長上の空間における、上記第一の直線および上記第二の直線からはいずれも離間した位置に存在する外部接触部材と、
を具備したことを特徴とするレンズ鏡筒。
【請求項２】
上記外部接触部材は、上記第二の枠部材の外周よりも内側領域にて上記光軸の方向に突出していることを特徴とする請求項１に記載のレンズ鏡筒。
【請求項３】
レンズ溝を有し、複数のカム溝を有する第一の枠部材と、複数の上記カム溝の各々に係合する第一のカムフォロアと第二のカムフォロア、および、外付け部材を位置決め固定するための取付け部を有する第二の枠部材とを有するレンズ鏡筒と、
上記取付け部と係合する係合部を備え、上記取付け部と上記係合部とを係合して位置決め固定させた状態で、上記第二の枠部材に保持される撮影レンズの光軸の方向に突出して配設された外部接触部材を有するレンズ鏡筒外付け部材であって、当該外部接触部材に外力が印加された際の力点が、上記第二の枠部材を当該光軸の方向の正面からみたときに、上記第一のカムフォロアの中心軸と当該光軸を通る第一の直線と、上記第一のカムフォロアに隣接する上記第二のカムフォロアの中心軸と当該光軸を通る第二の直線と、に挟まれた上記端面上の領域の光軸方向延長上の空間における、上記光軸との交点を除いた上記第一の直線および上記光軸との交点を除いた第二の直線からはいずれも離間した位置であって、かつ、上記レンズ溝を除いた位置に存在する外部接触部材を有するレンズ鏡筒外付け部材と、
を具備したことを特徴とするレンズ鏡筒システム。
【請求項４】
上記レンズ鏡筒外付け部材は、レンズフードであることを特徴とする請求項３に記載のレンズ鏡筒システム。
【請求項５】
上記レンズ鏡筒外付け部材は、保護キャップであることを特徴とする請求項３に記載のレンズ鏡筒システム。
【請求項６】
上記レンズ鏡筒外付け部材は、光学フィルタを保持するフィルタ保持部材であることを特徴とする請求項３に記載のレンズ鏡筒システム。
【発明の詳細な説明】
【技術分野】
【０００１】
本発明は、レンズ鏡筒およびレンズ鏡筒外付け部材が着脱可能なレンズ鏡筒システムに関する。
【背景技術】
【０００２】
従来、落下等による衝撃力に対してレンズ鏡筒を保護するための保護構造に関して、各種の提案がなされている。特許文献１に開示されたものは、固定筒内に進退可能に支持され、変倍レンズを保持する移動環と該移動環を進退駆動するためのカム筒とを有するレンズ鏡筒に関するものであって、上記移動環の外周部には上記固定筒やカム筒に設けられるカム溝に摺動可能に嵌入するコロ（カムフォロア）を設けられている。上記コロは、弾性変形可能な板部材を介して上記移動環に取り付けられている。したがって、上記移動環に落下等による衝撃力が作用した場合、上記板部材が弾性変形することにより上記衝撃力が吸収され、上記コロのカム溝からの外れやカム溝の損傷が防止される。
【０００３】
また、特許文献２に開示されたものは、レンズ鏡筒においてその先端部に装着される合成樹脂製の筒状部材に周方向に沿った長穴を複数個設けたものである。上記長穴は、筒部材の軸方向に弾性変形が可能な形状を有しており、上記長穴の前方位置に突起部が配されている。また、上記筒状部材の先端には、フィルタを装着するためのフィルタ枠が上記突起部が当接する状態で嵌入している。このレンズ鏡筒において落下等による衝撃力が上記フィルタ枠に作用した場合、突起部を介して上記長穴部が弾性変形し、上記衝撃力が吸収される。したがって、上記筒状部材、あるいは、該筒状部材に連結されている内蔵部品の変形や破損が防止される。
【先行技術文献】
【特許文献】
【０００４】
【特許文献１】特開平８−１６０２７７号公報
【特許文献２】特開平９−２１１２８６号公報
【発明の概要】
【発明が解決しようとする課題】
【０００５】
上述した特許文献１に開示されたレンズ鏡筒では、上記コロを支持するための弾性変形する上記板部材が必要であり、構成部品点数が増える。衝撃力が作用した場所によりコロが受ける衝撃力が変化するので安定した衝撃力の吸収ができない。また、該板部材を配設するためのスペースを確保する必要があり、レンズ鏡筒のコンパクト化、小型化の支障となる。
【０００６】
特許文献２に開示されたレンズ鏡筒においても上記筒状部材に上記複数の長穴を設ける必要があり、上記長穴を隠すための部材が必要になるため、レンズ鏡筒の十分な小型化ができない。また、上記筒状部材は、合成樹脂製の部材であることが必要であり、部材の材料に制限がある。
【０００７】
本発明は、上述の問題を解決するためになされたものであり、構成部品数を抑えつつ、落下時の姿勢や衝撃力の作用状態の変化に対しても安定した強度が得られるレンズ鏡筒、または、レンズ鏡筒外付け部材が着脱可能なレンズ鏡筒システムを提供することを目的とする。
【課題を解決するための手段】
【０００８】
本発明の一形態のレンズ鏡筒は、複数のカム溝を有する第一の枠部材と、複数の上記カム溝の各々に係合する第一のカムフォロアと第二のカムフォロアとを有する第二の枠部材と、上記第二の枠部材の端面において、当該第二の枠部材に保持される撮影レンズの光軸の方向に突出して配設された外部接触部材であって、当該外部接触部材に外力が印加された際の力点が、上記第二の枠部材を当該光軸の方向の正面からみたときに、上記第一のカムフォロアの中心軸と当該光軸を通る第一の直線と、上記第一のカムフォロアに隣接する上記第二のカムフォロアの中心軸と当該光軸を通る第二の直線と、に挟まれた上記端面上の領域の光軸方向延長上の空間における、上記第一の直線および上記第二の直線からはいずれも離間した位置に存在する外部接触部材と、を具備したことを特徴とする。
【０００９】
本発明の一形態のレンズ鏡筒システムは、レンズ溝を有し、複数のカム溝を有する第一の枠部材と、複数の上記カム溝の各々に係合する第一のカムフォロアと第二のカムフォロア、および、外付け部材を位置決め固定するための取付け部を有する第二の枠部材とを有するレンズ鏡筒と、上記取付け部と係合する係合部を備え、上記取付け部と上記係合部とを係合して位置決め固定させた状態で、上記第二の枠部材に保持される撮影レンズの光軸の方向に突出して配設された外部接触部材を有するレンズ鏡筒外付け部材であって、当該外部接触部材に外力が印加された際の力点が、上記第二の枠部材を当該光軸の方向の正面からみたときに、上記第一のカムフォロアの中心軸と当該光軸を通る第一の直線と、上記第一のカムフォロアに隣接する上記第二のカムフォロアの中心軸と当該光軸を通る第二の直線と、に挟まれた上記端面上の領域の光軸方向延長上の空間における、上記光軸との交点を除いた上記第一の直線および上記光軸との交点を除いた第二の直線からはいずれも離間した位置であって、かつ、上記レンズ溝を除いた位置に存在する外部接触部材を有するレンズ鏡筒外付け部材と、を具備したことを特徴とする。
【発明の効果】
【００１０】
本発明によれば、構成部品の数を抑え、落下時の姿勢や衝撃力の作用状態の変化に対しても安定した強度が得られるレンズ鏡筒およびレンズ鏡筒システムを提供することができる。
【図面の簡単な説明】
【００１１】
【図１】本発明の第一の実施形態のレンズ鏡筒の分解斜視図である。
【図２】図１のレンズ鏡筒の直進枠の正面図である。
【図３】図１のＡ−Ａ断面図であって、図１のレンズ鏡筒の回転枠のカム溝断面形状を示す。
【図４】図２のＢ−Ｂ断面図であって、図２の直進枠の先端部の断面形状を示す。
【図５】図１のレンズ鏡筒の直進枠が障害物に突き当たった状態を示す図である。
【図６】本発明の第二実施形態のレンズ鏡筒の直進枠の斜視図である。
【図７】図６の直進枠の正面図である。
【図８】図６の直進枠が障害物に突き当たった状態を示す図である。
【図９】本発明の第三実施形態およびその変形例のレンズ鏡筒の直進枠とレンズキャップの斜視図である。
【図１０】図９の直進枠に装着したレンズキャップの正面図である。
【図１１】図９の直進枠に装着したレンズキャップが障害物に突き当たった状態を示す図である。
【図１２】本発明の第四実施形態のレンズ鏡筒の直進枠とレンズキャップの斜視図である。
【図１３】図１２の直進枠に装着したレンズキャップが障害物に突き当たった状態を示す図である。
【図１４】本発明の第五実施形態のレンズ鏡筒の直進枠とレンズキャップの斜視図である。
【図１５】図１４の直進枠に装着したレンズキャップが障害物に突き当たった状態を示す図である。
【図１６】本発明の第六実施形態のレンズ鏡筒の直進枠とフィルタ用リングの斜視図である。
【図１７】図１６の直進枠に装着したフィルタ用リングが障害物に突き当たった状態を示す図である。
【図１８】本発明の第七実施形態のレンズ鏡筒の直進枠とフィルタ用リングとを分離した状態での側面図である。
【図１９】図１８のＸ方向の矢視図である。
【図２０】本発明の第八実施形態のレンズ鏡筒の直進枠とレンズフードの斜視図である。
【図２１】図２０の直進枠に装着したレンズフードの正面図である。
【図２２】図２０の直進枠に装着したレンズフードに障害物が突き当ったときの衝撃力の作用状態を示す図である。
【発明を実施するための最良の形態】
【００１２】
以下、図を用いて本発明の実施形態について説明する。 
図１は、本発明の第一の実施形態のレンズ鏡筒の分解斜視図である。図２は、上記レンズ鏡筒の直進枠の正面図である。図３は、図１のＡ−Ａ断面図であって、上記レンズ鏡筒における回転枠のカム溝断面形状を示す。図４は、図２のＢ−Ｂ断面図であって、上記直進枠の先端部の断面形状を示す。図５は、上記レンズ鏡筒の上記直進枠が障害物に突き当たった状態を示す図である。
【００１３】
本実施形態のレンズ鏡筒１は、カメラ本体側に固定される固定枠２と、固定枠２の内に回転，進退可能に嵌入される第一の枠部材である金属、または、樹脂製筒形状の回転枠３と、回転枠３内に嵌入され、固定枠に対して直進ガイドされた状態で回転枠３により進退駆動される第二の枠部材である金属、または、樹脂製筒形状の直進枠４と、直進枠４を直進ガイドするための直進ガイドキー５とを有しており、回転枠３および直進枠４とは、直進枠４に保持される撮影レンズ６の光軸Ｏと一致する中心軸をもつ。但し、レンズ鏡筒の構造によっては、上記中心軸と光軸Ｏとは必ずしも一致するとは限らないが、少なくとも上記中心軸と光軸Ｏとは、略平行な軸である。また、以下の説明で光軸Ｏ方向の被写体側を前方として説明する。
【００１４】
固定枠２にはその内周部に雌ヘリコイドネジ２ａおよび直進ガイド溝（図示せず）と、内周前方部に周方向ガイド溝２ｂが設けられ、さらに、内周部に回転枠３を回転駆動するための駆動ギヤ（図示せず）が配されている。
【００１５】
回転枠３には後方外周部に上記駆動ギヤに噛合するギヤ部３ａと固定枠２の雌ヘリコイドネジ２ａに螺合する雄ヘリコイドネジ３ｂが重畳して設けられ、内周部に光軸Ｏに対して斜行する３本（１本のみ図示）のカム溝３ｃとが設けられる。
【００１６】
直進枠４は、光軸Ｏを有する撮影レンズ６を保持しており、後方外周３分割位置に回転枠３のカム溝３ｃに摺動可能に嵌入する第一、または、第二のカムフォロアを構成する３つのカムフォロア７a1，７a2，７a3が配され、内周部には光軸Ｏに平行な２本の直進ガイド溝４ｃが設けられている。なお、カムフォロア７a1，７a2，７a3は、図３に示すようにそれぞれ回転枠３のテーパー面をもつカム溝３ｃに嵌入するものとする。
【００１７】
さらに、直進枠４の前端面４ｂには図２，４に示すように外部接触部材を形成する光軸Ｏ前方方向に突出する凸球面形状の３つの突起部４d1，４d2，４d3がカムフォロア７a1，７a2，７a3の位置に関連して配されている。
【００１８】
すなわち、突起部４d1は、直進枠４が延在する中心軸方向と一致する光軸Ｏおよびカムフォロア７a1の中心軸とを通る第一の平面と、上記光軸Ｏおよびカムフォロア７a2の中心軸を通る第二の平面とに挟まれ、外周部４ａとレンズ開口部で囲まれた第三の平面領域に配される。具体的には突起部４d1は、図２で前端面４ｂ上のカムフォロア７a1中心の光軸Ｏ方向の延長線と光軸Ｏとを通るＬ1 線とカムフォロア７a2中心の光軸Ｏ方向の延長線と光軸Ｏとを通るＬ2 線とに囲まれた領域４b1に配される。
【００１９】
同様に突起部４d2も、図２で前端面４ｂ上の上記Ｌ2 線とカムフォロア７a3中心の光軸Ｏ方向の延長線と光軸Ｏとを通るＬ3 線とに囲まれた領域４b2に配される。また、突起部４d3も、図２で前端面４ｂ上にて上記Ｌ3 線と上記Ｌ1 線とに囲まれた領域４b3に配される。
【００２０】
直進ガイドキー５には、円環部外周に突出し、固定枠２の直進ガイド溝に嵌入する突起５ｂ，５ｃと、光軸Ｏ方向の前方（撮影レンズ側）に沿って延出する２本の直進ガイド５ａとが設けられる。
【００２１】
この直進ガイドキー５は、固定枠２の内周部に突起５ｂ，５ｃを嵌入した状態で回転枠３の後端部に装着され、回転枠３に対して回転方向には相対回転可能で、光軸Ｏ方向には、一体の状態で支持される。そして、突起５ｂ，５ｃは、固定枠２の直進溝に摺動可能に嵌入し、直進ガイド５ａは、直進枠４の直進ガイド溝４ｃに摺動可能に嵌入する。
【００２２】
上述した構成を有するレンズ鏡筒１において、回転枠３および直進枠４が固定枠２内に繰り込まれた状態で回転枠３が所定の方向に上記駆動ギヤを介して所定の角度だけ回動駆動されると、回転枠３は、雌ヘリコイドネジ２ａを介して固定枠２から回動しながら繰り出された後、ギヤ部３ａ，雄ヘリコイドネジ部３ｂが固定枠２の周方向ガイド溝２ｂに嵌まり込んだ状態となる。直進枠４は、カム溝３ｃとカムフォロア７a1，７a2，７a3を介して回転枠３と共に繰り出され、さらに、回転枠３から突出した撮影可能なテレ位置に直進状態で繰り出される。その後のさらなる回転枠３の回動によって直進枠４は、ワイド位置からテレ位置に進退移動する。
【００２３】
レンズ鏡筒１の直進枠４は、上述した固定枠２に繰り込まれた状態、および、撮影可能なワイド位置、または、テレ位置に繰り出された状態にて、直進枠４の前端面４ｂは、常にレンズ鏡筒１の表面に露呈し、突起部４d1，４d2，４d3は、外部と当接可能な状態にある。
【００２４】
レンズ鏡筒１が繰り込み状態あるいは繰り出し状態にあるとき（但し、レンズ鏡筒１が沈胴式のものである場合は、繰り出し状態にあるときのみ）、直進枠４の前端面４ｂ側を下方にして外部障害物８、例えば、床面や地面に落下させた場合、図５に示すように突起部４d1，４d2，４d3のいずれか１つ、または、複数が衝突初期において外部障害物８に当たり、直進枠４のカムフォロア７a1，７a2，７a3のいずれか２つ以上と回転枠３のカム溝３ｃとの間でその衝撃力Ｆ0 を受ける。
【００２５】
もし、直進枠に上述した突起部４d1，４d2，４d3が配されていない従来のレンズ鏡筒にて、ピン直下、または、その周辺で落下した場合には、その衝撃力は、１本のカムフォロアに作用してしまうことになる。そして、カム溝３ｃが上述したようにテーパ面を有していればカムフォロア７a1，７a2，７a3との間に嵌合が外れる方向の分力が発生し、直進枠、または、回転枠が変形してカム溝３ｃとの嵌合が外れてしまったり、あるいは、カム溝３ｃを傷つけたり、カムフォロアを破損してしまうおそれがあった。
【００２６】
これに対して本実施形態のレンズ鏡筒１においては、前述したように突起部４d1，４d2，４d3がカムフォロア７a1，７a2，７a3の間の領域４b1，４b2，４b3に配されており、該突起部４d1，４d2，４d3のいずれかに上記衝撃力Ｆ0 が作用したとしても該衝撃力を少なくとも隣り合う第一と第二の２本のカムフォロアで分散して受けることになる。したがって、１本のカムフォロアで受ける力が減じられ、カムフォロア嵌合の外れやカムフォロアの破損、あるいは、カム溝を損傷する等の不具合発生を抑えることが可能になる。
【００２７】
なお、本実施形態では、突起部４d1，４d2，４d3が直進枠４に一体的に設けられているが、これに限らず、例えば、直進枠４の前端面に貼付される飾り板等の板状部材に上記突起部４d1，４d2，４d3を設けた構成を採用しても同様の効果が得られる。また、本実施形態における突起部４d1，４d2，４d3は、球面形状を有しているがこれ以外の凸状であっても同様の効果が得られる。
【００２８】
上述したように本実施形態のレンズ鏡筒１によれば、直進枠４に対して所定の位置に突起部４d1，４d2，４d3を配するのみで落下等の耐衝撃性の高いものが得られ、複数のカムフォロア７a1，７a2，７a3に対応した複数の突起部４d1，４d2，４d3が設けられていることからいずれの方向に傾いた落下姿勢にも対応できる。また、上記突起部のための配設スペ−スは極めて少なく、部品数を抑え、コンパクト化の支障とならない耐衝撃性の高いレンズ鏡筒が提供できる。
【００２９】
次に、本発明の第二の実施形態のレンズ鏡筒について、図６〜８を用いて説明する。
【００３０】
図６は、本実施形態のレンズ鏡筒の直進枠の斜視図である。図７は、上記直進枠の正面図である。図８は、上記直進枠が障害物に突き当たった状態を示す図である。
【００３１】
本実施形態のレンズ鏡筒は、前記第一の実施形態のレンズ鏡筒１に対して直進枠４Ａの前端面の形状のみが異なる。他の固定枠２，回転枠３，直進ガイドキー５、さらに、直進枠４Ａに保持される撮影レンズ６およびカムフォロア７a1，７a2，７a3は、同様のものを適用する。その同様の構成部材に対しては、図１と同一の符号を付し、以下、異なる部分について説明する。
【００３２】
本実施形態のレンズ鏡筒に適用される直進枠４Ａには、その前端面４Ａｂの３カ所を切り欠いて図６，７に示すように３つの凹部４Ａe1，４Ａe2，４Ａe3が所定の位置に設けられている。
【００３３】
凹部４Ａe1は、図７の前端面４Ａｂ上でカムフォロア７a1中心の光軸Ｏ方向の延長線と光軸Ｏとを通るＬ1 線を含む領域に配される。凹部４Ａe2は、図７の前端面４Ａｂ上でカムフォロア７a2中心の光軸Ｏ方向の延長線と光軸Ｏとを通るＬ2 線を含む領域に配される。凹部４Ａe3は、図７の前端面４Ａｂ上でカムフォロア７a3中心の光軸Ｏ方向延長線と光軸Ｏとを通るＬ3 線を含む領域に配される。
【００３４】
このレンズ鏡筒では凹部４Ａe1，４Ａe2，４Ａe3の間にある３つに分割された前端面４Ａｂが突状の外部接触部材となる。これらの分割前端面４Ａｂは、直進枠の延在する中心軸方向と一致する光軸Ｏおよび１つのカムフォロアの中心軸を通る第一の平面と、上記光軸Ｏおよび該カムフォロアに隣り合うカムフォロアの中心軸を通る第二の平面とに挟まれ、外周部４Ａａとレンズ開口部で囲まれた第三の平面領域に配されることになる。
【００３５】
本実施形態のレンズ鏡筒が繰り込み状態あるいは繰り出し状態にあるとき（但し、レンズ鏡筒が沈胴式のものである場合は、繰り出し状態にあるときのみ）、直進枠４Ａの前端面４Ａｂ側を下方にして外部障害物８、例えば、床面や地面に落下させた場合、図８に示すように分割された前端面４Ａｂのいずれか１つ、または、複数が衝突初期において外部障害物８に当たり、直進枠４Ａのカムフォロア７a1，７a2，７a3のいずれかと回転枠３のカム溝３ｃとの間でその衝撃力Ｆ0 を受ける。
【００３６】
しかし、上述したように３つに分割された前端面４Ａｂがカムフォロア７a1，７a2，７a3の間の領域にあり、該前端面４Ａｂに上記衝撃力Ｆ0 が作用したとしても該衝撃力を少なくとも隣り合う２本のカムフォロアで分散して受けることになる。したがって、１本のカムフォロアで受ける力が減じられ、カムフォロア嵌合の外れやカムフォロアの破損、あるいは、カム溝を損傷する等の不具合発生を抑えることが可能となる。
【００３７】
このように本実施形態のレンズ鏡筒においても第一の実施形態のレンズ鏡筒１と同様の効果を奏することができる。
【００３８】
次に、本発明の第三の実施形態のレンズ鏡筒について、図９〜１１を用いて説明する。
【００３９】
図９は、本実施形態およびその変形例のレンズ鏡筒の直進枠とレンズキャップの斜視図である。図１０は、上記直進枠に装着したレンズキャップの正面図である。図１１は、上記直進枠に装着したレンズキャップが障害物に突き当たった状態を示す図である。
【００４０】
本実施形態のレンズ鏡筒は、前記第一の実施形態のレンズ鏡筒１に対して直進枠４Ｂにレンズ鏡筒外付け部材であるレンズキャップ（保護キャップ）９が着脱可能なものである。他の固定枠２，回転枠３，直進ガイドキー５、さらに、直進枠４Ｂに保持される撮影レンズ６およびカムフォロア７a1，７a2，７a3は、同様のものを適用する。その同様の構成部材に対しては、図１と同一の符号を付し、以下、異なる部分について説明する。
【００４１】
直進枠４Ｂの前面に着脱可能なレンズキャップ９は、外部接触部材を形成する頂点９ａのある球面状表面を有する部材である。
【００４２】
本実施形態のレンズ鏡筒が繰り込み状態あるいは繰り出し状態にあってレンズキャップ９を直進枠４Ｂに装着した状態でレンズキャップ９側を下方にして外部障害物８、例えば、床面や地面に落下させた場合、図１１に示すようにレンズキャップ９の球面部が衝突初期において外部障害物８に当たる。
【００４３】
レンズキャップ９の球面部で受けた衝撃力Ｆ0 は、直進枠４Ｂのカムフォロア７a1，７a2，７a3にそれぞれ分散され、回転枠３のカム溝３ｃで受ける。したがって、１本のカムフォロアで受ける力が減じられ、カムフォロア嵌合の外れやカムフォロアの破損、あるいは、カム溝を損傷する等の不具合発生を抑えることが可能となる。
【００４４】
本実施形態のレンズ鏡筒を適用するカメラでは、不用意にカメラを落下、あるいは、障害物にぶつけるようなときには、レンズ鏡筒にレンズキャップを被せているときが多いと考えられ、そのような状態での上述したカムフォロアの破損やカム溝の損傷がより有効的に防止できる。
【００４５】
上述したレンズキャップ９は、球面状表面を有するものであったが、それに対する変形例のキャップ９Ａとして外部接触部材を形成する１つの凸部頂点９Ａａを有する凸曲面の表面を有する外付け部材としてのレンズキャップを提案することもできる。
【００４６】
この変形例のレンズキャップ９Ａの表面の凸部頂点９Ａａの位置は、図１０に示す三角領域９ｃ上にあるものとする。三角領域９ｃは、直進枠４Ｂに変形例のレンズキャップ９Ａを装着した状態にて共通の光軸Ｏと、それぞれカムフォロア７a1，７a2，７a3の中心の光軸Ｏ方向延長線とを通る図１０に示されるＬ1 ，Ｌ2 ，Ｌ3 線を避けた位置に三角形頂点がある三角形の領域とする。
【００４７】
このレンズキャップ９Ａは、凸部頂点９Ａａの位置を三角形の領域内とするために直進枠４Ｂに対し、その装着位置を規制する必要がある。直進枠４Ｂのカムフォロア７a1，７a2，７a3の前方位置にそれぞれ凹部４Ｂｆを設け、レンズキャップ９Ａ側には、該凹部４Ｂｆに係合する凸部９Ａｃを設ける。レンズキャップ装着時、凹部４Ｂｆに凸部９Ａｃを係合させる。したがって、レンズキャップ９Ａの装着状態では、レンズキャップ９Ａの凸部頂点９Ａａが必ず上記三角形の領域に位置する。
【００４８】
本変形例のレンズキャップを直進枠４Ｂに装着した状態でレンズキャップ側から落下させた場合も本レンズキャップの凸部頂点９Ａａの近傍が衝突初期にて外部障害物８に当たる。該レンズキャップの該凸部頂点近傍で受けた衝撃力は、直進枠４Ｂのカムフォロア７a1，７a2，７a3の少なくとも２つにそれぞれ分散され、回転枠３のカム溝３ｃで受ける。したがって、１本のカムフォロアで受ける力が減じられ、カムフォロア嵌合の外れやカムフォロアの破損、あるいは、カム溝を損傷する等の不具合発生を抑えることが可能となる。なお、本変形例では凹部４Ｂｆの形成箇所は３つとしているが、特にその数は限定されない。
【００４９】
次に、本発明の第四の実施形態のレンズ鏡筒について、図１２，１３を用いて説明する。
【００５０】
図１２は、本実施形態のレンズ鏡筒の直進枠とレンズキャップの斜視図である。図１３は、上記直進枠に装着したレンズキャップが障害物に突き当たった状態を示す図である。
【００５１】
本実施形態のレンズ鏡筒は、前記第一の実施形態のレンズ鏡筒１に対して直進枠４Ｃにレンズ鏡筒外付け部材であるレンズキャップ（保護キャップ）１１が着脱可能なものである。他の固定枠２，回転枠３，直進ガイドキー５、さらに、直進枠４Ｃに保持される撮影レンズ６およびカムフォロア７a1，７a2，７a3は、同様のものを適用する。その同様の構成部材に対しては、図１と同一の符号を付し、以下、異なる部分について説明する。
【００５２】
直進枠４Ｃの外周４Ｃａの前方部には、図１２に示すようにカムフォロア７a1，７a2，７a3の前方対応位置にそれぞれ凹部４Ｃｆが設けられる。
【００５３】
直進枠４Ｃの前面に着脱可能なレンズキャップ１１は、前端面１１ｂ上に光軸Ｏ前方方向に突出する凸球面形状の外部接触部材である３つの突起部１１d1，１１d2，１１d3を有し、さらに、直進枠４Ｃとの嵌合部内周に凹部４Ｃｆと係合する凸部１１ｃが設けられた外付け部材である。
【００５４】
レンズキャップ１１の３つの突起部１１d1，１１d2，１１d3は、レンズキャップ１１を直進枠４Ｃに対して凸部１１ｃを凹部４Ｃｆに係合させて装着した状態で所定の関係位置に位置する。
【００５５】
詳しく説明すると、直進枠４Ｃにレンズキャップ１１を装着した状態にて突起部１１d1は、直進枠が延在する中心軸方向と一致する光軸Ｏおよびカムフォロア７a1の中心軸を通る第一の平面と、光軸Ｏとカムフォロア７a2の中心軸を通る第二の平面とに挟まれ、レンズキャップ外周部で囲まれた第三の平面領域に配される。具体的には突起部１１d1は、図１２に示すように前端面１１ｂ上のカムフォロア７a1中心の光軸Ｏ方向延長線と光軸Ｏとを通るＬ1 線と、カムフォロア７a2中心の光軸Ｏ方向延長線と光軸Ｏとを通るＬ2 線とに囲まれた領域１１b1に配される。
【００５６】
同様に突起部１１d2も、前端面１１ｂ上の上記Ｌ2 線とカムフォロア７a3中心の光軸Ｏ方向延長線と光軸Ｏとを通るＬ3 線とに囲まれた領域１１b2に配される。また、突起部１１d3も、前端面１１ｂ上にて上記Ｌ3 線と上記Ｌ1 線とに囲まれた領域１１b3に配される。
【００５７】
本実施形態のレンズ鏡筒が繰り込み状態あるいは繰り出し状態にあって、レンズキャップ１１を直進枠４Ｃに装着した状態でレンズキャップ１１側を下方にして外部障害物８、例えば、床面や地面に落下させた場合、図１３に示すようにレンズキャップ１１の突起部１１d1，１１d2，１１d3のいずれか１つ、または、複数が衝突初期において外部障害物８に当たる。
【００５８】
レンズキャップ１１の上記突起部で受けた衝撃力Ｆ0 は、直進枠４Ｃのカムフォロア７a1，７a2，７a3のいずれか２つ、または、３つに略分散して回転枠３のカム溝３ｃで受ける。したがって、１本のカムフォロアで受ける力が減じられ、カムフォロア嵌合の外れやカムフォロアの破損、あるいは、カム溝を損傷する等の不具合発生を抑えることが可能になる。
【００５９】
本実施形態のレンズ鏡筒を適用するカメラでも第三実施形態の場合と同様に、レンズキャップを装着した状態で不用意にカメラを落下、あるいは、障害物にぶつけたときのカムフォロアの破損やカム溝の損傷をより有効的に抑えることが可能になる。なお、本実施形態では、凹部４Ｃｆの形成箇所は３つとしたが、特にその数は限定されない。
【００６０】
次に、本発明の第五の実施形態のレンズ鏡筒について、図１４，１５を用いて説明する。
【００６１】
図１４は、本実施形態のレンズ鏡筒の直進枠とレンズキャップの斜視図である。図１５は、上記直進枠に装着したレンズキャップが障害物に突き当たった状態を示す図である。
【００６２】
本実施形態のレンズ鏡筒は、前記第一の実施形態のレンズ鏡筒１に対して直進枠４Ｄにレンズ鏡筒外付け部材であるレンズキャップ（保護キャップ）１２が着脱可能なものである。他の固定枠２，回転枠３，直進ガイドキー５、さらに、直進枠４Ｄに保持される撮影レンズ６およびカムフォロア７a1，７a2，７a3は、同様のものを適用する。その同様の構成部材に対しては、図１と同一の符号を付し、以下、異なる部分について説明する。
【００６３】
直進枠４Ｄの外周４Ｄａの前方部には、図１４に示すようにカムフォロア７a1，７a2，７a3の前方対応位置にそれぞれ凹部４Ｄｆが設けられる。
【００６４】
直進枠４Ｄの前面に着脱可能なレンズキャップ１２は、図１４に示すように前端面１２ｂ上に３つの凹部１２e1，１２e2，１２e3を有し、さらに、直進枠４Ｄとの嵌合部内周に凹部４Ｄｆと係合する凸部１２ｃが設けられた外付け部材である。
【００６５】
レンズキャップ１２の３つの凹部１２e1，１２e2，１２e3は、その前端面１２ｂの３カ所を切り欠いて所定の位置に設けられる。
【００６６】
すなわち、凹部１２e1は、直進枠４Ｄにレンズキャップ１２を装着した状態で前端面１２ｂ上でカムフォロア７a1中心の光軸Ｏ方向の延長線と光軸Ｏとを通るＬ1 線を含む領域に配される。凹部１２e2は、前端面１２ｂ上でカムフォロア７a2中心の光軸Ｏ方向の延長線と光軸Ｏとを通るＬ2 線を含む領域に配される。凹部１２e3は、前端面１２ｂ上でカムフォロア７a3中心の光軸Ｏ方向延長線と光軸Ｏとを通るＬ3 線を含む領域に配される。
【００６７】
このレンズキャップ１２では、凹部１２e1，１２e2，１２e3の間にある３つに分割された前端面１２ｂが突起状の外部接触部材となる。これらの分割前端面１２ｂは、直進枠の延在する中心軸方向と一致する光軸Ｏおよび１つのカムフォロアの中心軸を通る第一の平面と、該光軸Ｏおよび該カムフォロアに隣り合うカムフォロアの中心軸を通る第二の平面とに挟まれ、外周部４Ｄａで囲まれた第三の平面領域に配される。
【００６８】
本実施形態のレンズ鏡筒にレンズキャップ１２を装着し、繰り込み状態あるいは繰り出し状態にあるとき、レンズキャップ１２を下方にして外部障害物８、例えば、床面や地面に落下させた場合、図１５に示すように分割前端面１２ｂのいずれか１つ、または、複数が衝突初期において外部障害物８に当たり、その衝撃力Ｆ0 は、直進枠４Ｄのカムフォロア７a1，７a2，７a3のいずれかと回転枠３のカム溝３ｃで受ける。
【００６９】
ここで、上述のように３つに分割された前端面１２ｂがカムフォロア７a1，７a2，７a3の間の領域にあり、該前端面１２ｂに上記衝撃力Ｆ0 が作用したとしても該衝撃力を少なくとも隣り合う２本のカムフォロアで分散して受けることになる。したがって、１本のカムフォロアで受ける力が減じられ、カムフォロア嵌合の外れやカムフォロアやカム溝を損傷を抑えることが可能になる。
【００７０】
このように本実施形態のレンズ鏡筒においても第三の実施形態のレンズ鏡筒やその変形例と同様の効果を奏することができる。なお、本実施形態では、凹部４Ｄｆの形成箇所は３つとしたが、特にその数は限定されない。
【００７１】
次に、本発明の第六の実施形態のレンズ鏡筒について、図１６，１７を用いて説明する。
【００７２】
図１６は、本実施形態のレンズ鏡筒の直進枠とフィルタ用リングの斜視図である。図１７は、上記直進枠に装着したフィルタ用リングが障害物に突き当たった状態を示す図である。
【００７３】
本実施形態のレンズ鏡筒は、前記第一の実施形態のレンズ鏡筒１に対して直進枠４Ｅにレンズ鏡筒外付け部材であるフィルタ用リング（フィルタ保持部材）１３が着脱可能なものである。他の固定枠２，回転枠３，直進ガイドキー５、さらに、直進枠４Ｅに保持される撮影レンズ６およびカムフォロア７a1，７a2，７a3は、同様のものを適用する。その同様の構成部材に対しては、図１と同一の符号を付し、以下、異なる部分について説明する。
【００７４】
直進枠４Ｅの外周４Ｅａの前方部には、図１６に示すようにカムフォロア７a1，７a2，７a3の前方対応位置にそれぞれ凹部４Ｅｆが設けられる。
【００７５】
直進枠４Ｅの前面に着脱可能なフィルタ用リング１３は、図１６に示すようにフィルタ開口部に光学フィルタ１４を備え、前端面１３ｂ上に外部接触部材である光軸Ｏ前方方向に突出する凸球面形状を有する３つの突起部１３d1，１３d2，１３d3が設けられ、さらに、直進枠４Ｅとの嵌合部内周に凹部４Ｅｆと係合する凸部１３ｃが設けられた外付け部材である。
【００７６】
３つの突起部１３d1，１３d2，１３d3の前端面１３ｂ上の位置は、フィルタ用リング１３を直進枠４Ｅに凹部４Ｅｆと凸部１３ｃとを係合させて装着した状態にてカムフォロア７a1，７a2，７a3の位置に関連して配されている。
【００７７】
すなわち、フィルタ用リング１３を直進枠４Ｅに装着した状態にて突起部１３d1は、直進枠の延在する中心軸方向と一致する光軸Ｏおよびカムフォロア７a1の中心軸を通る第一の平面と、該光軸Ｏおよびカムフォロア７a2の中心軸を通る第二の平面とに挟まれ、フィルタ用リング外周部とフィルタ開口部で囲まれた第三の平面領域に配される。具体的には突起部１３d1は、図１６で前端面１３ｂ上のカムフォロア７a1中心の光軸Ｏ方向の延長線と光軸Ｏとを通るＬ1 線とカムフォロア７a2中心の光軸Ｏ方向の延長線と光軸Ｏとを通るＬ2 線とに囲まれた領域１３b1に配される。
【００７８】
同様に突起部１３d2も、前端面１３ｂ上の上記Ｌ2 線とカムフォロア７a3中心の光軸Ｏ方向の延長線と光軸Ｏとを通るＬ3 線とに囲まれた領域１３b2に配される。また、突起部１３d3も、前端面１３ｂ上にて上記Ｌ3 線と上記Ｌ1 線とに囲まれた領域１３b3に配される。
【００７９】
本実施形態のレンズ鏡筒の直進枠４Ｅにフィルタ用リング１３を装着し、繰り込み状態あるいは繰り出し状態にあるとき、フィルタ用リング１３を下方にして外部障害物８、例えば、床面や地面に落下させた場合、図１７に示すように突起部１３d1，１３d2，１３d3のいずれか１つ、または、複数が衝突初期において外部障害物８に当たり、その衝撃力Ｆ0 は、直進枠４Ｅのカムフォロア７a1，７a2，７a3のいずれかと回転枠３のカム溝３ｃで受ける。
【００８０】
ここで、上述のように突起部１３d1，１３d2，１３d3が直進枠４Ｅ側のカムフォロア７a1，７a2，７a3の間の領域にあるので、上記衝撃力Ｆ0 は、少なくとも隣り合う２本のカムフォロアで分散して受けることになる。したがって、１本のカムフォロアで受ける力が減じられ、カムフォロア嵌合の外れやカムフォロアの破損、あるいは、カム溝を損傷する等の不具合発生を抑えることが可能になる。
【００８１】
このように本実施形態のレンズ鏡筒においても第三の実施形態のレンズ鏡筒やその変形例と同様の効果を奏することができる。なお、本実施形態では、凹部４Ｅｆの形成箇所は３つとしたが、特にその数は限定されない。
【００８２】
次に、本発明の第七の実施形態のレンズ鏡筒について、図１８，１９を用いて説明する。
【００８３】
図１８は、本実施形態のレンズ鏡筒の直進枠とフィルタ用リングとを分離した状態での側面図である。図１９は、図１８のＸ方向矢視図である。
【００８４】
本実施形態のレンズ鏡筒は、前記第一の実施形態のレンズ鏡筒１に対して直進枠４Ｆにレンズ鏡筒外付け部材であるフィルタ用リング（フィルタ保持部材）１５が螺合により装着可能とするものである。他の固定枠２，回転枠３，直進ガイドキー５、さらに、直進枠４Ｆに保持される撮影レンズ６およびカムフォロア７a1，７a2，７a3は、同様のものを適用する。その同様の構成部材に対しては、図１と同一の符号を付し、以下、異なる部分について説明する。
【００８５】
直進枠４Ｆの外周４Ｆａの前方部には図１８に示すようにフィルタ用リング螺着用の雄ねじ部４Ｆｆが設けられている。
【００８６】
フィルタ用リング１５は、図１６，１９に示すようにフィルタ開口部に光学フィルタ１４を備えた金属、または、樹脂製外付け部材であり、内周部に直進枠４Ｆの雄ねじ部４Ｆｆに螺合可能な雌ネジ１５ｆが設けられ、フィルタ用リング１５の前端面１５ｂ上には、光軸Ｏ前方方向に突出する凸球面形状の３つの外部接触部材である突起部１５d1，１５d2，１５d3が設けられている。該突起部は、フィルタ用リング１５を直進枠４Ｆに螺着した状態のもとでカムフォロア７a1，７a2，７a3の位置に関連して配されている。
【００８７】
すなわち、フィルタ用リング１５を直進枠４Ｆに螺着して装着した状態にて突起部１５d1は、直進枠の延在する中心方向と一致する光軸Ｏおよびカムフォロア７a1の中心軸を通る第一の平面と、該光軸Ｏおよびカムフォロア７a2の中心軸を通る第二の平面とに挟まれ、フィルタ用リング外周部とフィルタ開口部で囲まれた第三の平面領域に配される。
【００８８】
具体的には突起部１５d1は、図１９に示すように前端面１５ｂ上のカムフォロア７a1中心の光軸Ｏ方向の延長線と光軸Ｏとを通るＬ1 線とカムフォロア７a2中心の光軸Ｏ方向の延長線と光軸Ｏとを通るＬ2 線とに囲まれた領域１５b1に配される。
【００８９】
同様に突起部１５d2も、前端面１５ｂ上の上記Ｌ2 線とカムフォロア７a3中心の光軸Ｏ方向の延長線と光軸Ｏとを通るＬ3 線とに囲まれた領域１５b2に配される。また、突起部１５d3も、前端面１５ｂ上にて上記Ｌ3 線と上記Ｌ1 線とに囲まれた領域１５b3に配される。
【００９０】
本実施形態のレンズ鏡筒の直進枠４Ｆにフィルタ用リング１５を装着し、繰り込み状態あるいは繰り出し状態にあるとき、フィルタ用リング１５を下方にして外部障害物８、例えば、床面や地面に落下させた場合、突起部１５d1，１５d2，１５d3のいずれか１つ、または、複数が衝突初期において外部障害物８に当たり、その衝撃力は、直進枠４Ｆのカムフォロア７a1，７a2，７a3のいずれかと回転枠３のカム溝３ｃで受ける。
【００９１】
ここで、上述のように突起部１５d1，１５d2，１５d3が直進枠４Ｆ側のカムフォロア７a1，７a2，７a3の間の領域にあるので、上記衝撃力は、少なくとも隣り合う２本のカムフォロアで分散して受けることになる。したがって、１本のカムフォロアで受ける力が減じられ、カムフォロア嵌合の外れ、カムフォロアやカム溝の損傷の発生等を抑えることが可能となる。
【００９２】
このように本実施形態のレンズ鏡筒においても第三の実施形態のレンズ鏡筒やその変形例と同様の効果を奏することができる。
【００９３】
なお、本実施形態のレンズ鏡筒に適用したフィルタ用リング１５に代えて直進枠４Ｆに螺合によって装着することができるレンズ保護用のレンズキャップに対しても上述したフィルタ用リング１５と同様の突起部１５d1，１５d2，１５d3を設けることによって、上記実施形態と同様の効果を奏することができる。
【００９４】
次に、本発明の第八の実施形態のレンズ鏡筒について、図２０〜２２を用いて説明する。
【００９５】
図２０は、本実施形態のレンズ鏡筒の直進枠とレンズフードの斜視図である。図２１は、上記直進枠に装着したレンズフードの正面図である。図２２は、上記直進枠に装着したレンズフードに障害物が突き当ったときの衝撃力の作用状態を示す図である。
【００９６】
本実施形態のレンズ鏡筒は、前記第一の実施形態のレンズ鏡筒１に対して直進枠４Ｇにレンズ鏡筒外付け部材であるレンズフード１６が着脱可能なものである。他の固定枠２，回転枠３，直進ガイドキー５、さらに、直進枠４Ｇに保持される撮影レンズ６およびカムフォロア７a1，７a2，７a3は、同様のものを適用する。その同様の構成部材に対しては、図１と同一の符号を付し、以下、異なる部分について説明する。
【００９７】
直進枠４Ｇの外周４Ｇａの前方部には、図２０に示すようにカムフォロア７a1，７a2，７a3の前方対応位置にそれぞれ凹部４Ｇｆが設けられる。
【００９８】
直進枠４Ｇの前面に着脱可能なレンズフード１６は、図２０，２１に示すように中央開口部１６ａを備え、前面部に３つの外部接触部材となるフード凸部１６d1，１６d2，１６d3と該凸部の間に３つのフード凹部１６ｂが設けられた外付け部材である。また、直進枠４Ｇとの嵌合部内周に凹部４Ｇｆと係合可能な凸部１６ｃが設けられる。
【００９９】
３つのフード凸部１６d1，１６d2，１６d3の位置は、レンズフード１６を直進枠４Ｇに凹部４Ｇｆと凸部１６ｃとを係合させて装着した状態にてカムフォロア７a1，７a2，７a3の位置に関連して配されている。
【０１００】
すなわち、レンズフード１６を直進枠４Ｇに装着した状態にてフード凸部１６d1は、直進枠の延在する中心軸方向と一致する光軸Ｏおよびカムフォロア７a1の中心軸を通る第一の平面と、該光軸Ｏおよびカムフォロア７a2の中心軸を通る第二の平面とに挟まれ、レンズフード装着部外周と中央開口部１６ａで囲まれた第三の平面領域から前方に向けて延出して配される。
【０１０１】
具体的にはフード凸部１６d1は、図２１でカムフォロア７a1中心の光軸Ｏ方向の延長線と光軸Ｏとを通るＬ1 線とカムフォロア７a2中心の光軸Ｏ方向の延長線と光軸Ｏとを通るＬ2 線とに囲まれた領域１６b1に配される。
【０１０２】
同様にフード凸部１６d2も、上記Ｌ2 線とカムフォロア７a3中心の光軸Ｏ方向の延長線と光軸Ｏとを通るＬ3 線とに囲まれた領域１６b2に配される。また、フード凸部１６d3も、上記Ｌ3 線と上記Ｌ1 線とに囲まれた領域１６b3に配される。
【０１０３】
本実施形態のレンズ鏡筒の直進枠４Ｇにレンズフード１６を装着し、繰り込み状態あるいは繰り出し状態にあるとき、レンズフード１６を下方にして外部障害物８、例えば、床面や地面に落下させた場合、図２２に示すようにフード凸部１６d1，１６d2，１６d3のいずれか１つ、または、複数が衝突初期において外部障害物８に当たり、その衝撃力Ｆ0 は、直進枠４Ｇのカムフォロア７a1，７a2，７a3のいずれかと回転枠３のカム溝３ｃで受ける。
【０１０４】
ここで、上述のようにフード凸部１６d1，１６d2，１６d3が直進枠４Ｇ側のカムフォロア７a1，７a2，７a3の間の領域にあるので、上記衝撃力Ｆ0 は、少なくとも隣り合う２本のカムフォロアで分散して受けることになる。したがって、１本のカムフォロアで受ける力が減じられ、カムフォロア嵌合の外れやカムフォロアの破損、あるいは、カム溝を損傷する等の不具合発生を抑えることが可能になる。
【０１０５】
このように本実施形態のレンズ鏡筒においてもレンズフードを装着した状態で第三の実施形態のレンズ鏡筒やその変形例と同様の効果を奏することができる。なお、本実施形態では、凹部４Ｇｆの形成箇所は３つとしたが、特にその数は限定されない。
【０１０６】
なお、上述した各実施形態における直進枠に設けられるカムフォロア７a1，７a2，７a3は、直進枠部材に対して圧入固着して配されるのみではなく、他に直進枠部材と一体成形で配してもよくもよく、その設置形態に限定する必要はない。さらには、カムフォロアのようなピン構造だけでなく、ガイド溝内を摺勤して鏡枠部材の進退、および／または、回転を伝達する機構を実現できるような鏡枠間支持部材であってもよい。また、カムフォロアは、３つに限らず２つでも４つ以上でもよい。
【０１０７】
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【０１０８】
本発明によるレンズ鏡筒は、落下時の姿勢や衝撃力の作用状態の変化に対しても安定した強度が得られ、構成部品の数を抑えたレンズ鏡筒として利用可能である。
【符号の説明】
【０１０９】
３  …回転枠（第一の枠部材）
４，４Ａ，４Ｂ，４Ｃ，４Ｄ，４Ｅ，４Ｆ，４Ｇ
…直進枠（第二の枠部材）
４ｂ…前端面（第二の部材の端面）
４Ａｂ…分割前端面
（第二の部材の端面，外部接触部材）
４d1，４d2，４d3，
１１d1，１１d2，１１d3，
１３d1，１３d2，１３d3，
１５d1，１５d2，１５d3
…突起部（外部接触部材）
１２ｂ…分割された前端面（外部接触部材）
９ａ，９Ａａ
…頂点（外部接触部材）
１６d1，１６d2，１６d3
…フード凸部（外部接触部材）
９，９Ａ，１１，１２
…レンズキャップ
（レンズ鏡筒外付け部材，保護キャップ）
１３，１５
…フィルタ用リング
（レンズ鏡筒外付け部材，フィルタ保持部材）
１４  …光学フィルタ
１６  …レンズフード（レンズ鏡筒外付け部材）
Ｏ  …光軸（中心軸）
【図１】
2011221552.tif 000003
【図２】
2011221552.tif 000004
【図３】
2011221552.tif 000005
【図４】
2011221552.tif 000006
【図５】
2011221552.tif 000007
【図６】
2011221552.tif 000008
【図７】
2011221552.tif 000009
【図８】
2011221552.tif 000010
【図９】
2011221552.tif 000011
【図１０】
2011221552.tif 000012
【図１１】
2011221552.tif 000013
【図１２】
2011221552.tif 000014
【図１３】
2011221552.tif 000015
【図１４】
2011221552.tif 000016
【図１５】
2011221552.tif 000017
【図１６】
2011221552.tif 000018
【図１７】
2011221552.tif 000019
【図１８】
2011221552.tif 000020
【図１９】
2011221552.tif 000021
【図２０】
2011221552.tif 000022
【図２１】
2011221552.tif 000023
【図２２】
2011221552.tif 000024